(57)【要約】【課題】チェーン径の調節をスムーズに行うことが可能であるとともに、長期間の使用によっても、またこれを身に付けた状態で入浴等をした場合でも機能が損なわれることのないアジャスター及びそれを用いたチェーン状装身具の提供。【解決手段】チェーン径を自在に調整可能としたアジャスターを備えたチェーン状装身具であって、両端を自由端としたチェーン（２）と、該チェーン（２）の一端が連結されるとともに、前記チェーン（２）の他端が移動自在に貫通したアジャスター（３）とを具備し、前記アジャスター（３）は、前記チェーン（２）が貫通する一対の貫通孔（４０１）が形成されたフレーム（４）と、該フレーム（４）内に配設された、チェーンが貫通するコイル状の係止部（５）と、を備え、前記係止部（５）は、長手方向に向いた中央部分の径を小さくして押圧部（６）を形成し、該押圧部（６）によってチェーンを付勢可能にした。【選択図】図２
2006346070.tif 000002
【特許請求の範囲】
【請求項１】
チェーン状装身具に用いるアジャスターであって、
チェーン（２）の一端が連結される連結部（４０２）を有するとともに前記チェーン（２）の他端が移動自在に貫通する一対の貫通孔（４０１）を有するフレーム（４）と、
該フレーム（４）内に配設された、チェーンが貫通するコイル状の係止部（５）と、を備え、
前記係止部（５）は、長手方向に向いた中央部分の径をチェーン（２）の外周径よりも小さくして押圧部（６）を形成し、該押圧部（６）によってチェーンを付勢可能にしたことを特徴とするチェーン状装身具に用いるアジャスター。
【請求項２】
前記係止部（５）が金属製であることを特徴とする請求項１に記載のチェーン状装身具に用いるアジャスター。
【請求項３】
前記係止部（５）が炭素繊維製であることを特徴とする請求項１に記載のチェーン状装身具に用いるアジャスター。
【請求項４】
前記係止部（５）が合成樹脂製であることを特徴とする請求項１に記載のチェーン状装身具に用いるアジャスター。
【請求項５】
チェーン径を自在に調整可能としたアジャスターを備えたチェーン状装身具であって、
両端を自由端としたチェーン（２）と、
該チェーン（２）の一端が連結されるとともに、前記チェーン（２）の他端が移動自在に貫通したアジャスター（３）とを具備し、
前記アジャスター（３）は、
前記チェーン（２）が貫通する一対の貫通孔（４０１）が形成されたフレーム（４）と、
該フレーム（４）内に配設された、チェーンが貫通するコイル状の係止部（５）と、を備え、
前記係止部（５）は、長手方向に向いた中央部分の径を小さくして押圧部（６）を形成し、該押圧部（６）によってチェーンを付勢可能にしたことを特徴とするチェーン状装身具。
【発明の詳細な説明】
【技術分野】
【０００１】
本発明は、ネックレス、ブレスレット等のチェーン状装身具に用いるアジャスター及びそれを用いたチェーン状装身具に係り、より詳しくは、チェーン径の調節が容易であるとともに、長期間の使用によっても、またこれを身に付けた状態で入浴等をした場合であってもその調整機能が損なわれることのないアジャスター及びそれを用いたチェーン状装身具に関する。
【背景技術】
【０００２】
一般的に、ネックレス、ブレスレット等のチェーン状装身具では、これを構成するチェーンは無端状となっており、その長さを調整することは不可能とされているが、近年、使い勝手等の利便性を目的として、アジャスターを用いてチェーンの長さを自在に調整可能としたものが提供されてきている。
【０００３】
ここで、図５は、チェーン径を自在に調整可能としたチェーンの長さ調節構造を説明するための図である。そして、この調節構造では、装身具に固定される留め具を備えており、この留め具は、チェーンが貫通する一対の貫通孔３２を有するケーシング３１と、このケーシング３１に内蔵される筒状の弾性部材３３から構成されている。そして、弾性体３３は、バネ板を円筒状に湾曲させた筒状のバネからなっており、チェーンの外周の径よりも短い径に設定されている。
【０００４】
この構成において、弾性部材３３にチェーンを挿通させると、チェーンは、弾性部材３３の付勢力によって、常時弾性部材３３に挟圧され、これによってチェーンの動きが拘束される。
【０００５】
そのために、この長さ調節構造を採用することで、チェーン径を自在にすることができるとともに、所望の径に維持することが可能となる。
【特許文献１】特開２００１−７００１８号公報
【特許文献２】登録実用新案第３０６３８９１号公報
【発明の開示】
【発明が解決しようとする課題】
【０００６】
しかしながら、上記の調節構造においては、弾性部材３３の全体によってチェーンを挟圧しているために、チェーンの動きを強く拘束してしまい、そのために、チェーン径の調節をスムーズに行うことができない、という問題点が考えられる。
【０００７】
また、そのほか、過去においては、チェーンが移動自在に貫通したアジャスターを備え、更に、このアジャスター内にシリコンゴム等の弾性体を挿入するとともに、この弾性体にチェーンの直径よりも僅かに小径の貫通孔を形成し、この貫通孔にチェーンを挿通することで、シリコンゴムの弾性力を利用し、チェーンを任意の位置で係止可能とした方法も採用されているが、シリコンゴムの弾性力を利用してチェーンを係止可能とした場合には、長期間の経過によって、シリコンゴムが磨耗するとともに弾性力も衰えてくるため、また、チェーン状装身具を身につけた状態で入浴等をした場合には、シリコンゴムの収縮等によりチェーンの径が変わってしまうおそれも十分に考えられ、それにより、アジャスターとしての機能を十分に発揮できなくなるおそれが考えられる。
【０００８】
そこで、本発明は、チェーン径の調節をスムーズに行うことが可能であるとともに、長期間の使用によっても、またこれを身に付けた状態で入浴等をした場合であっても機能が損なわれることのないアジャスター及びそれを用いたチェーン状装身具を提供することを課題としている。
【課題を解決するための手段】
【０００９】
本発明のチェーン状装身具に用いるアジャスターは、チェーン状装身具に用いるアジャスターであって、チェーンの一端が連結される連結部を有するとともに前記チェーンの他端が移動自在に貫通する一対の貫通孔を有するフレームと、このフレーム内に配設された、チェーンが貫通するコイル状の係止部と、を備え、前記係止部は、長手方向に向いた中央部分の径をチェーンの外周径よりも小さくして押圧部を形成し、この押圧部によってチェーンを付勢可能にしたことを特徴としている。
【００１０】
また、本発明のチェーン状装身具は、チェーン径を自在に調整可能としたアジャスターを備えたチェーン状装身具であって、両端を自由端としたチェーンと、このチェーンの一端が連結されるとともに、前記チェーンの他端が移動自在に貫通したアジャスターとを具備し、前記アジャスターは、前記チェーンが貫通する一対の貫通孔が形成されたフレームと、このフレーム内に配設された、チェーンが貫通するコイル状の係止部と、を備え、前記係止部は、長手方向に向いた中央部分の径をチェーンの外周径よりも小さくして押圧部を形成し、該押圧部によってチェーンを付勢可能にしたことを特徴としている。
【発明の効果】
【００１１】
本発明では、チェーンが貫通するコイル状の係止部をフレーム内に配設するとともに、この係止部は、長手方向に向いた中央部分の径をチェーンの外周径よりも小さく設定して押圧部を形成し、この押圧部によってチェーンを付勢可能にしており、これによって、チェーンと押圧部との摺動抵抗を利用してチェーンを任意の位置でフレームに係止可能としている。
【００１２】
そのため、本発明によれば、シリコンゴム等を用いた場合と異なり、長期間の使用によっても、またこれを身に付けた状態で入浴等をした場合でも、アジャスター機能が損なわれることを防止することが可能である。
【００１３】
また、本発明では、係止部における長手方向に向いた中央部分のみによってチェーンを付勢しているために、弾性体の全体によってチェーンを挟圧する方法と異なり、チェーンを強く拘束することがなく、チェーンの移動をスムーズに行うことが可能である。
【発明を実施するための最良の形態】
【００１４】
本発明のチェーン状装身具では、両端を自由端としたチェーンと、このチェーンの一端が連結されるとともに、前記チェーンの他端が移動自在に貫通したアジャスターとを具備している。
【００１５】
そして、アジャスターは、チェーンの一端が連結される連結部を有するとともに前記チェーンの他端が移動自在に貫通する一対の貫通孔が形成されたフレームと、このフレーム内に配設された、チェーンが貫通する係止部とを備えており、係止部は、金属、炭素繊維、合成樹脂等により形成したコイル状にするとともに、その長手方向に向いた中央部分の径をチェーンの外周径よりも小さく設定して押圧部を形成しており、この押圧部によって、係止部を貫通したチェーンを付勢可能にしている。
【実施例１】
【００１６】
本発明のチェーン状装身具の実施例について図面を参照して説明すると、図１は本実施例のチェーン状装身具の正面図であり、本実施例では、ダイヤモンドを備えたペンダントが係止されたネックレスとしている。
【００１７】
即ち、図において１が本実施例のネックレスであり、このネックレス１は、両端が自由端とされたチェーン２を有しており、このチェーン２における任意の箇所には、３個のダイヤモンドを備えたペンダント７が係止されている。なお、本実施例において前記ペンダントとしては、ハート型としたダイヤモンドを３連にしたものを用いているが、必ずしもハート型のダイヤモンドを３連にしたペンダントを使用する必要はなく、また、ペンダントを備えない形態としてもよい。
【００１８】
次に、図において３はアジャスターである。即ち、本実施例のネックレス１では、アジャスター３を介してチェーン２を無端状にするとともに、アジャスター３によってチェーン２の径を自在に調整可能としている。
【００１９】
ここで、前記アジャスター３について説明すると、図２は、前記アジャスター３を説明するための一部断面図であり、図において４は、アジャスター３を構成するフレームである。即ち、本実施例において前記アジャスター３は、円筒状としたフレーム４を有しており、このフレームにおける対向する箇所には貫通孔４０１が形成されており、チェーン２の他端側は、この貫通孔４０１を貫通している。
【００２０】
また、前記アジャスター３の外側面には、図１に示すように、連結部としての環体４０２が形成されるとともに、この環体４０２には引輪４０３が連結されている。一方、前記チェーン２の一端部には留め具２０１が備えられ、この留め具２０１が前記引き輪４０３に連結されている。そして、これにより、前記チェーン２は、アジャスター３を介して無端とされている（なお、図２において前記環体４０２は図示を省略している。）。
【００２１】
なお、図１において８は、チェーン２の他端に連結した抜け防止手段であり、この抜け防止手段８は、前記貫通孔４０１の外周よりも大きめの直径としており、これにより、チェーン２がアジャスター３より抜け出てしまうことを防止している。
【００２２】
次に、前記フレーム４内には、コイル状とした係止部５が配設されており、前記チェーン２の他端側は、貫通孔４０１を貫通しつつ、フレーム４内においては係止部５を貫通している。
【００２３】
ここで、前記係止部５について説明すると、図３は前記係止部５の正面図であり、また、図４は前記係止部５の斜視図であり、本実施例において前記係止部５は、金属製、炭素繊維性、又は合成樹脂製としたコイル状としており、その内径は、係止部５を貫通するチェーン２の外径よりも大きく設定している。
【００２４】
一方、係止部５における、その長手方向に向いた中央部分の径は、チェーン２の外径よりも小さく設定し、この部分を押圧部６としている。そして、この押圧部６によって、係止部５を貫通したチェーン２を付勢可能とし、この押圧部６によって、係止部５を貫通したチェーン２の移動に制限を加えている。
【００２５】
このように、本実施例においては、係止部５の一部分によってチェーン２を付勢しているために、弾性部材の全体でチェーンを挟圧する従来の方法と異なり、チェーン２を強く拘束することがなく、これにより、チェーン２の移動に制限をくわえつつも、その移動をスムーズに行うことを可能としている。
【００２６】
またそのとき、本実施例においては、金属製、炭素繊維性、又は合成樹脂製の素材により形成したコイル状の係止部５を用いているために、シリコンゴム等を用いてアジャスター内にチェーンを係止している従来のネックレスと異なり、長期間の使用によっても、また入浴等をした場合でも、アジャスターの機能が落ちることが無いという利点が考えられる。
【００２７】
なお、本実施例において前記フレーム４は、長手方向に向いた中央部分を内径側に向けて湾曲させ、更に、両端部分の径を小さくした変形の筒状としているが、必ずしもこのように変形させる必要はなく、変形させない筒状としてもよい。
【００２８】
また、本実施例において前記係止部５は、その全体を内径側に湾曲させ、これにより、長手方向に向いた中央部分の径をチェーン２の外径よりも小さく設定して押圧部６としているが、必ずしもこのようにする必要はなく、長手方向に向いた中央部分の径をチェーン２の外径よりも小さく設定して押圧部６を形成してあればいずれの方法を採用してもよい。
【００２９】
次に、このように構成される本実施例のネックレス１の作用について説明すると、本実施例のネックレス１においてチェーン２の径を変更する場合には、フレーム４を、例えば指等でつかんだ状態で、アジャスター３を境にして、チェーン２を、抜け防止手段８側、あるいは反抜け防止手段側に引っ張る。そうすると、チェーン２は、係止部４における押圧部６の内周側と摺動しつつその長手方向へ移動し、それによりチェーン２の径を調整することが可能となる。
【００３０】
そして、チェーン２に加えていた力を解除すると、チェーン２に対して、係止部４における押圧部６の内周側による付勢力が作用してチェーン２の位置が固定され、これによりチェーン２を所望の径で維持することが可能となる。
【００３１】
そしてこのとき、本実施例においては、長手方向に向いた中央部分の径をチェーン２の外径よりも小さくしてこの部分を押圧部６としたコイル状の係止部５を用いて、押圧部６のみによってチェーン２を付勢しているために、チェーン２に加える付勢力が強くなりすぎることがなく、チェーン２の移動に制限をくわえつつも、その移動をスムーズに行うことが可能である。
【００３２】
また、シリコンゴム等を用いてアジャスター内にチェーンを係止している従来のネックレスと異なり、長期間の使用によっても、また入浴等をした場合でも、アジャスターの機能が落ちることが無いという利点が考えられる。
【００３３】
なお、本実施例においては、フレーム２を円筒状としたが、必ずしも円筒状にする必要は無く、チェーンが貫通する一対の貫通孔を有しているとともに、その内部にコイル状とした係止部を配設可能であればいずれの形状でもよい。
【産業上の利用可能性】
【００３４】
本発明は、長手方向に向いた中央部分の径をチェーンの外径よりも小さくしてこの部分を押圧部としたコイル状の係止部をフレーム内に配設し、係止部を貫通したチェーンを押圧部のみによって付勢し、押圧部とチェーンとの摺動抵抗を利用してチェーンを任意の位置でフレームに係止可能としているため、ネックレスに限らず、ブレスレット等、チェーンを用いたチェーン状装身具の全般に適用可能である。
【図面の簡単な説明】
【００３５】
【図１】本発明のチェーン状装身具の実施例の正面図である。
【図２】アジャスターを説明するための一部断面図である。
【図３】係止部を説明するための断面図である。
【図４】係止部を説明するための斜視図である。
【図５】従来の調節構造を説明するための図である。
【符号の説明】
【００３６】
１    ネックレス
２    チェーン
２０１    留め具
３    アジャスター
４    フレーム
４０１    貫通孔
４０２    環体
４０３    引き輪
５    係止部
６    押圧部
７    ペンダント
８    抜け防止手段
【図１】
2006346070.tif 000003
【図２】
2006346070.tif 000004
【図３】
2006346070.tif 000005
【図４】
2006346070.tif 000006
【図５】
2006346070.tif 000007